(57)【要約】本発明の一実施の形態は、操縦席の計器パネルのための航空機用計器システムであって、航空機の第１の操縦士に関連付けられた第１の装置を計器パネル上で第１の操縦士の実質的に前方に配置して有する計器システムを備えている。第１の装置は第１のディスプレイ及び第１のコントローラを備えることができ、第１のコントローラは第１のディスプレイ及び航空機のシステムを制御するための制御部一式を有することができる。更に、この計器システムは、航空機の第２の操縦士に関連付けられ、計器パネル上で第２の操縦士の実質的に前方に配置される第２の装置を備えることができる。第２の装置は第２のディスプレイ及び第２のコントローラを備えることができ、第２のコントローラは第２のディスプレイ及び航空機のシステムを制御するための制御部一式を有することができる。この計器を、第１のディスプレイ及び第２のディスプレイの少なくとも一方が常に姿勢、高度および対気速度を提示するように構成することができる。
2009500235.tif 000002
【特許請求の範囲】
【請求項１】
操縦席の計器パネルのための航空機用計器システムであって、
航空機の第１の操縦士に関連付けられ、計器パネルにおいて実質的に第１の操縦士の前方に配置された装置であり、
・第１のディスプレイと、
・第１のディスプレイおよび航空機のシステムを制御するための第１組の制御部を有している第１のコントローラと、を備えている第１の装置と、
航空機の第２の操縦士に関連付けられ、計器パネルにおいて実質的に第２の操縦士の前方に配置された装置であり、
・第２のディスプレイと、
・第２のディスプレイおよび航空機のシステムを制御するための第２組の制御部を有している第２のコントローラと、を備えている第２の装置と、
を有しており、
第１のディスプレイおよび第２のディスプレイの少なくとも一方が、姿勢、高度および対気速度を常に提示している、
ことを特徴とする航空機用計器システム。
【請求項２】
第１のコントローラおよび第２のコントローラが、通信装置、航法装置、表示装置、補助動力装置、天候検出／情報装置、客室与圧制御装置、燃料搭載および放出装置、電子チェックリスト装置、操縦士記憶式の表示設定装置のうちの少なくとも１つを制御するように構成されている、請求項１に記載の航空機用計器システム。
【請求項３】
第１のコントローラが、第２のディスプレイが姿勢、高度、および対気速度を提示している場合にのみ、航空機のシステムのデータおよびシステムのメニューを提示するように第１のディスプレイを制御し、第２のコントローラが、第１のディスプレイが姿勢、高度、および対気速度を提示している場合にのみ、航空機のシステムのデータおよびシステムのメニューを提示するように第２のディスプレイを制御する、請求項１に記載の航空機用計器システム。
【請求項４】
第１のディスプレイは、第１のコントローラが所定の期間にわたって非動作である場合に、既定の姿勢、高度および対気速度の提示となり、第２のディスプレイは、第２のコントローラが所定の期間にわたって非動作である場合に、既定の姿勢、高度および対気速度の提示となる、請求項３に記載の航空機用計器システム。
【請求項５】
前記所定の期間が約５秒である、請求項４に記載の航空機用計器システム。
【請求項６】
非常の場合には、第１のディスプレイおよび第２のディスプレイの両方が、姿勢、高度および対気速度を提示する、請求項１に記載の航空機用計器システム。
【請求項７】
航空機が電池動力へと戻る場合には、第１のディスプレイおよび第２のディスプレイの両方が、姿勢、高度および対気速度を自動的に提示する、請求項６に記載の航空機用計器システム。
【請求項８】
第１の装置は第１の多機能ディスプレイ（ＭＦＤ）の上方に取り付けられ、第２の装置が第２のＭＦＤの上方に取り付けられている、請求項１に記載の航空機用計器システム。
【請求項９】
航空機が防眩シールドを有しており、第１の装置および第２の装置が実質的に防眩シールドに位置している、請求項８に記載の航空機用計器システム。
【請求項１０】
第１の操縦士のための第１の設計眼点（ＤＥＰ）および第２の操縦士のための第２のＤＥＰをさらに有しており、第１のＤＥＰ、第１のＭＦＤおよび第１のディスプレイが、第１の実質的に垂直な平面に位置し、第２のＤＥＰ、第２のＭＦＤおよび第２のディスプレイが、第２の実質的に垂直な平面に位置している、請求項８に記載の航空機用計器システム。
【請求項１１】
システムのメニューが、センサメニュー、スタンバイ飛行ディスプレイメニュー、エンハンスド・ビジョン・システム／シンセティック・ビジョン・システム・メニュー、補助動力ユニットメニュー、管制官操縦士間データ通信メニュー、天候検出メニュー、客室与圧制御システムメニュー、燃料メニュー、チェックリストメニュー、プライマリ・フライト・ディスプレイ・メニュー、地図メニュー、チャートメニュー、ウインドウズ・マネジメント・メニュー、記憶メニュー、および要約メニューのうちの少なくとも１つを含んでいる、請求項１に記載の航空機用計器システム。
【請求項１２】
スタンバイ飛行データの表示方法および航空機の操縦席の計器パネルからの航空機システムの管理方法であって、
第１のディスプレイと第１組の制御部とを有すると共にスタンバイモードとコントローラモードとを備えた第１の装置を、第１の操縦士に関連付けるステップと、
第２のディスプレイと第２組の制御部とを有すると共にスタンバイモードとコントローラモードとを備えた第２の装置を、第２の操縦士に関連付けるステップと、
スタンバイモードにあるときに第１のディスプレイがスタンバイ飛行データを提示するように構成されている第１の装置と、スタンバイモードにあるときに第２のディスプレイがスタンバイ飛行データを提示するように構成されている第２の装置とを、スタンバイモードに設定するステップと、
第２の装置がスタンバイモードにある場合に限って、第１の装置をコントローラモードに置くステップと、
第１の装置がスタンバイモードにある場合に限って、第２の装置をコントローラモードに置くステップと、を備え、
スタンバイ飛行データは、姿勢、高度、および対気速度を含んでいる、
ことを特徴とする方法。
【請求項１３】
コントローラモードにある第１の装置およびコントローラモードにある第２の装置のそれぞれが、航空機の少なくとも１つのシステムを制御するように構成されており、航空機の前記少なくとも１つのシステムが、通信システム、航法システム、センサシステム、スタンバイ飛行ディスプレイシステム、エンハンスド・ビジョン・システム／シンセティック・ビジョン・システム、補助動力ユニットシステム、管制官操縦士間データリンク通信システム、天候検出システム、客室与圧制御システム、燃料系統、チェックリストシステム、プライマリ・フライト・ディスプレイ・システム、地図システム、チャートシステム、ウインドウズ・マネジメント・システム、記憶システム、および要約システムのうちの少なくとも１つを含んでいる、請求項１２に記載の方法。
【請求項１４】
コントローラモードにある第１の装置が、第１のディスプレイに、航空機の少なくとも１つのシステムに関するメニューの選択肢を提示するように構成され、コントローラモードにある第２の装置が、第２のディスプレイに、航空機の少なくとも１つのシステムに関するメニューの選択肢を提示するように構成されている、請求項１３に記載の方法。
【請求項１５】
非常の場合に、第１の装置および第２の装置をスタンバイモードに固定するステップをさらに備えている、請求項１２に記載の方法。
【請求項１６】
航空機が電池動力へと戻る場合に、第１の装置および第２の装置をスタンバイモードに固定するステップをさらに備えている、請求項１２に記載の方法。
【請求項１７】
コントローラモードにおける所定の非動作期間の後に、第１の装置をスタンバイモードへと戻すステップと、
コントローラモードにおける所定の非動作期間の後に、第２の装置をスタンバイモードへと戻すステップと、
をさらに含んでいる、請求項１２に記載の方法。
【請求項１８】
前記所定の非動作期間が約５秒である、請求項１７に記載の方法。
【発明の詳細な説明】
【技術分野】
【０００１】
本発明は、航空機の操縦席の計器パネルの構成に関し、さらに詳しくは、多機能表示制御装置を備えてなるスタンバイ（standby）計器に関する。
【背景技術】
【０００２】
現代の航空機産業の進歩に伴って、飛行エンベロープ（envelope）および操縦士の能力に対する要求がますます大きくなってきている。航空機および操縦士に対するこの要求を満足するうえで助けとなるよう、現代の航空機は、操縦士の能力ならびに航空機および乗客の全体としての安全性を向上させる目的で、操縦士にメニュー、データ、およびグラフィカルな選択肢を提供するために設計されたきわめて多数のディスプレイ、計器、およびセンサを備えている。
【０００３】
航空機の進歩のみならず、電子ディスプレイも進化している。１４インチ×１０インチにもなる大型のディスプレイが、航空機において使用するために開発済みである。さらに、現代の航空機の多くは、複数の大型ディスプレイを表示することができ、大型の旅客機においては大型ディスプレイが４つにもなる場合がある。したがって、操縦室内の空間がますます不足し、例えば種々のメニューおよび種々の機能的情報を飛行の状況および操縦士の好みに応じて提示するなど、大型のディスプレイに多数の機能を持たせなければならなくなる。このような大型ディスプレイは、航空宇宙産業においては、一般に多機能ディスプレイ（ＭＦＤ：Ｍｕｌｔｉ‐Ｆｕｎｃｔｉｏｎａｌ  Ｄｉｓｐｌａｙ）と称されている。
【発明の開示】
【発明が解決しようとする課題】
【０００４】
いくつかのＭＦＤ（典型的には、操縦士または副操縦士の実質的に正面に位置するＭＦＤである）は、プログラム可能かつ／またはパーソナライズ可能であり、操縦士によって航空機を操縦するための主な計器またはディスプレイとして使用される。そのようなディスプレイは、一般にプライマリ・フライト・ディスプレイ（ＰＦＤ：Ｐｒｉｍａｒｙ  Ｆｌｉｇｈｔ  Ｄｉｓｐｌａｙ）と称され、操縦士または副操縦士の一方に割り当てられ、あるいは操縦士または副操縦士に専用である。ＭＦＤおよびＰＦＤは、典型的には、ディスプレイ上の種々のメニューおよび情報のグラフィック表示を選択するために、ノブ、ラジオボタン、などを含む別途のコントローラを備えている。さらに、操縦室の計器パネルは、燃料系統、電力系統、天候検出システム、などといった航空機の特定のシステムのために別個独立のコントローラを備えており、これが操縦室の計器パネルをさらに混み合わせ、複雑なものにしている。
【０００５】
現代の航空機の電子機器および電子ディスプレイの信頼性にもかかわらず、安全のための装置および余剰のシステムが、依然として航空機の製造者によって開発されて設置されており、実際に連邦航空規則（ＦＡＲ：Ｆｅｄｅｒａｌ  Ａｖｉａｔｉｏｎ  Ｒｕｌｅ）によって義務づけられている。例えば、ＦＡＲのパート（Part）２５およびパート１２１に該当する大型の旅客機は、航空機の高度、姿勢、および対気速度といった必要とされる最小限の情報を表示するスタンバイ表示装置を、操縦士および副操縦士の両者にとって常に視認可能であるように備えなければならない。このような規則を満足するために、典型的には、１つのスタンバイ表示装置が、操縦士と副操縦士との間において計器パネルに取り付けられる。
【０００６】
残念ながら、操縦室の制御パネルに大型のＭＦＤおよびＰＤＦがますます使用されるようになるにつれ、他の計器の配置のために残される空間が少なくなっている。これは、とくには、操縦席の制御パネルにおいて操縦士および副操縦士の間の中央である伝統的なスタンバイ表示装置の配置に当てはまる。この中央の位置は、ＦＡＲ  ２５．１３３３の視認の要求を満足するが、多くの航空機製造業者が、今ではこの中央の位置を追加の大型ＭＦＤのために理想的であると考えている。
【０００７】
操縦席の計器パネルにおける空間の不足に加え、現代の航空機のさらなる複雑化および高性能が、航空機の操縦士らにさらなる作業負荷を強いている。大型のＭＦＤが、作業負荷への効率的な対処において操縦士を助けるが、航空機の操縦士は、非常および／または航空機の特定の操縦の際に、計器に目を配って重要な情報を集めつつ、同時に航空機の操縦に対処しなければならない。或る種の非常時には、操縦士にとって利用可能な計器が、スタンバイ表示装置だけとなることも考えられる。残念ながら、スタンバイ表示装置の伝統的な配置位置では、操縦士がスタンバイ表示装置から必要な情報を見つけて集めるために普通とは異なる計器への目配りを実行しなければならず、非常時に、すでに大量である操縦士の作業負荷をさらに重くする。
【０００８】
計器への目配りの際に操縦士が複数の軸（垂直および水平など）に沿って目を配らなければならない状況は、当業者らによって視差（ｐａｒａｌｌａｘ）と呼ばれている。当業者にとって公知であるとおり、飛行中、とくには非常の状況において、視差の状況は、操縦士の作業負荷およびストレスを大いに増加させる。
【０００９】
伝統的なスタンバイ計器を計器パネルの中央から移動させる試みが、これまでになされているが、成功していない。例えば、スタンバイ計器のための空き空間は、計器パネルから離れた側で利用可能である。しかしながら、この位置では、両方の操縦士について連邦飛行規則の視認性およびアクセス性の要件を満足することができない。さらに、このような配置では、計器への目配り（とくには、視差の状況下で行われる目配り）の際に操縦士に大きな作業負荷が加わるという点に対処できない。
【００１０】
同様に、ＰＦＤの上方への伝統的なスタンバイ計器の配置も、やはり成功していない。計器パネルのＰＦＤの上方の領域は、伝統的に、種々の飛行データの表示および航空機のシステムの制御のための航空電子計器類できわめて混み合っている。伝統的なスタンバイ計器は、非常時には重要な装置であるけれども、非常時以外では頻繁に使用されるわけではない。したがって、まれにしか使用されない伝統的なスタンバイ計器をＰＦＤの上方において頻繁に使用されるディスプレイおよびコントローラと一緒に配置することは、高くつきかつ効率的でない戦略であるとこれまでは考えられてきた。
【００１１】
したがって、現代の航空機の操縦席の計器パネルの大型のＭＦＤおよび限られた空間との相性がよく、種々の飛行状況において操縦士に加わる作業負荷の軽減に役立つスタンバイ表示装置の構成について、ニーズが存在している。
【課題を解決するための手段】
【００１２】
（発明の概要）
本発明の一実施の形態は、操縦席の計器パネルのための航空機用計器システムであって、航空機の第１の操縦士に関連付けられた第１の装置を、計器パネル上で第１の操縦士の実質的に前方に配置して有している計器システムを含んでいる。第１の装置は、第１のディスプレイおよび第１のコントローラを備えることができ、第１のコントローラは、第１のディスプレイおよび航空機のシステムを制御するための制御部一式を有することができる。さらに、この計器システムは、航空機の第２の操縦士に関連付けられ、計器パネル上で第２の操縦士の実質的に前方に配置されている第２の装置を備えることができる。第２の装置は、第２のディスプレイおよび第２のコントローラを備えることができ、第２のコントローラは、第２のディスプレイおよび航空機のシステムを制御するための制御部一式を有することができる。この計器を、第１のディスプレイおよび第２のディスプレイの少なくとも一方が常に姿勢、高度、および対気速度を提示するように構成することができる。
【００１３】
本発明の他の実施の形態においては、スタンバイ飛行データの表示方法、および航空機の操縦席の計器パネルからの航空機システムの管理方法が、ディスプレイおよび一式の制御部を備えることができる第１の装置を第１の操縦士に関連付けるステップを含むことができる。この方法は、ディスプレイおよび一式の制御部を備えることができる第２の装置を第２の操縦士に関連付けるステップを含むことができる。第１の装置および第２の装置は、スタンバイモードおよびコントローラモードを備えることができる。さらにこの方法は、第１の装置および第２の装置を、スタンバイ飛行データを表示するスタンバイモードに設定するステップ、第２の装置がスタンバイモードにある場合に限って、第１の装置をコントローラモードに置くステップ、および第１の装置がスタンバイ・モードにある場合に限って、第２の装置をコントローラモードに置くステップ、を含むことができる。スタンバイ飛行データは、姿勢、高度、および対気速度を含むことができる。
【００１４】
本発明のこれらの目的および利点、ならびに他の目的および利点が、以下の説明、添付の図面、および添付の特許請求の範囲から明らかになるであろう。
【００１５】
本明細書は、本発明を特定して指摘して明確に請求する請求項で結ばれているが、それらを、以下の説明を添付の図面と併せて検討することによってよりよく理解できるものと考える。添付の図面は、これに限定されるわけではないが、本発明を実行するために現時点において最良であると考えられる態様を示しており、添付の図面においては、すべての図において、同様の部分は同様の参照番号で指し示されている。
【発明を実施するための最良の形態】
【００１６】
（発明の詳細な説明）
次に、本発明を、本発明の種々の実施の形態を示した図面を参照して、さらに十分に説明する。しかしながら、本発明の主題は、多数のさまざまな形態にて具現化が可能であり、本明細書に記載の実施の形態に限定されると考えてはならない。
【００１７】
本発明は、スタンバイ計器を航空機の表示装置（ディスプレイ）および航空機のシステムの制御装置（コントローラ）へと、計器パネルの面積を最大限に利用でき、かつ操縦士の作業負荷を最小にできるように組み合わせてなる航空機の計器パネルの構成を含んでいる。操縦士が２名である航空機について考えたとき、操縦士および副操縦士がそれぞれ、ＰＦＤおよび設定可能なコントローラを航空機を操縦するためのプライマリ（primary）計器として使用する。重複した安全のためのディスプレイシステムとして、本発明によれば、さらに計器パネルが、スタンバイ計器を、それぞれの操縦士のための設定可能なコントローラに一体化させて備えている。さらに、ＦＡＲ  ２５．１３３３によって求められる飛行規定を満足するため、スタンバイ計器のうちの少なくとも１つが、規則によって要求される飛行データを常に表示していなければならない。
【００１８】
図１Ａおよび図１Ｂを参照すると、２つの伝統的な航空機の操縦席の計器類１０が示されている。操縦席の計器類１０は、風防窓２０の下方に配置され、防眩シールド３０および主計器パネル４０を備えている。操縦席の計器類１０は、主計器パネル４０に取り付けられたＭＦＤ７０を制御するための２つの伝統的な設定可能な表示コントローラ５０を、防眩シールド３０に取り付けて備えている。伝統的な設定可能な表示コントローラ５０は、典型的には、最も近いＭＦＤを制御するように割り当てられているが、伝統的な設定可能な表示コントローラ５０が、任意のＭＦＤ７０を制御できるように設定可能であってもよい。図１Ａおよび図１Ｂに示されているように、操縦席の計器類１０は、伝統的なスタンバイ表示装置６０およびスタンバイ機首方位表示装置８０を、操縦席の計器類１０のほぼ中央に位置させて備えている。
【００１９】
図１Ａに示されているように、スタンバイ表示装置６０およびスタンバイ機首方位表示装置８０は、スタンバイ表示装置６０およびスタンバイ機首方位表示装置８０が２名の操縦士の間かつＭＦＤ７０の間に位置しているため、対気速度、高度、および機首方位を常に表示することによって、ＦＡＲ  ２５．１３３３の要件を満足する。しかしながら、図１Ａのスタンバイ表示装置６０およびスタンバイ機首方位表示装置８０の配置が、図１Ａに示したようにＭＦＤ７０の間に直接的に位置しているために、計器パネルにおいて大きなＭＦＤを使用することを制限していることに注意すべきである。したがって、計器パネル４０に、より小さなＭＦＤ７０が組み込まれ、不器用に配置されている。
【００２０】
図１Ａのスタンバイ表示装置の配置の制約を回避するために、図１Ｂに示した伝統的な操縦席の計器類１０は、スタンバイ表示装置６０およびスタンバイ機首方位表示装置８０をＭＦＤ７０の下方に移動させている。図１Ｂに示した操縦席の計器類１０では、より大きなＭＦＤ７０のための余地が手に入るが、スタンバイ表示装置６０およびスタンバイ機首方位表示装置８０が下方に配置されることで、図１Ｂに示したスタンバイ表示装置を使用するときに操縦士らが直面する視差の状況がより一層悪化する。さらに、図１Ｂに示されるように、伝統的なスタンバイ表示装置６０およびスタンバイ機首方位表示装置８０が、１：１のアスペクト比を備える一方で、大きなＭＦＤ７０は、４：３のアスペクト比を備えている。このプライマリ計器とスタンバイ計器との間のアスペクト比の相違が、スタンバイ計器からの情報の発見および収集の難しさを増すことが分かっている。
【００２１】
また、図１Ａおよび図１Ｂにおいて、スタンバイ表示装置６０およびスタンバイ機首方位表示装置８０の配置は、非常の状況において操縦士らにとってさらなる作業負荷を生じさせる。飛行時、操縦士は、航空機の前方の水平線および空間について、或る種の目配りを実行しなければならない。さらに、操縦士は、情報の収集および航空機の状態の確認のために、操縦席の計器パネルの計器およびディスプレイの目視を含む計器への目配りを実行する。計器への目配りは、航空機の飛行の様態に応じてさまざまでありうる。例えば、着陸の際には、操縦士が風防を通して水平線に目を配ることが重要であると考えられ、操縦士は、風防を通した視認に多大な労力および時間を費やす必要がある。結果として、風防を通しての視野から操縦士の目を離すことになる計器への目配りは、必須ではあるがおぼつかない仕事となりうる。
【００２２】
他の例として、通常の状況下での離陸においては、操縦士の計器への目配りは、高度、対気速度、および機首方位に関してＭＦＤ７０を含むと考えられる。さらに、操縦士は、エンジンの計器類、ならびに自動飛行制御システムについてのデータを表示するように設定できる防眩シールドに取り付けられたコントローラディスプレイ５０に目を配ると考えられる。
【００２３】
図１Ａおよび図１Ｂに示されているように、ＭＦＤ７０（典型的には、その一方が操縦士へと割り当てられ、プライマリ・フライト・ディスプレイ（ＰＦＤ）と称される）の位置は、計器への目配りのために操縦士の正面に最適に配置され、操縦士は、風防窓２０を通しての見通しのために、単にＰＦＤから垂直上方へと目を向けるだけでよい。例えば、着陸時の計器飛行から有視界飛行への移行において、操縦士は、滑走路を視覚的に識別するために、単にＭＦＤ７０から垂直上方へと目を向けるだけでよい。同様に、有視界飛行の最中に対気速度および機首方位を確認するため、操縦士は、計器に目を配る際に、ＭＦＤ７０から情報を集めるために、単純に風防窓２０から垂直下方へと目を向けるだけでよい。ＭＦＤ７０は、典型的にはプログラム可能であって、操縦士の結び付けに合わせて調節されており、計器への目配りをさらに容易にしている。
【００２４】
時間とともに、計器への目配りは、操縦士にとってより直感的になり、操縦士は迅速かつ効率的に情報を集めることができるようになる。しかしながら、電気的な故障などといった非常または異常の状態においては、ＭＦＤ７０が、操縦士および／または副操縦士にとって利用可能でなくなる可能性がある。そのような非常の状況において、スタンバイ表示装置６０およびスタンバイ機首方位表示装置８０が、ＭＦＤ７０を置き換えるべく機能し、操縦士に必要な情報を標準化された方法で提供する。
【００２５】
残念ながら、上述のように、操縦士による典型的なＭＦＤ７０の計器への目配りは、操縦士が単純に風防窓２０からＭＦＤ７０へと下方を見下ろすとき、図１Ａおよび図１Ｂに示した操縦席の計器類１０においては、伝統的なスタンバイ表示装置６０またはスタンバイ機首方位表示装置８０の位置を含んでいない。結果として、非常の場合に、操縦士は、スタンバイ表示装置６０およびスタンバイ機首方位表示装置８０から情報を集めるために、典型的な目配りから離れる必要があり、垂直方向に下方へと目配りし、かつ操縦士の位置に応じて左右の水平方向に目配りをするように強いられる。上述のように、視差の状況が、飛行および非常の状況において操縦士の作業負荷を大きく増加させる。
【００２６】
通常の飛行の状況において、ＭＦＤ７０が、航空機の操縦に使用される必要な情報の大部分を操縦士に提供する。ＭＦＤ７０が、プライマリ計器として、種々の機能に応じた飛行データを表示し、現代の航空機においては、典型的にはＭＦＤ７０を、操縦士によってプログラム可能である。典型的には、図１Ａおよび図１Ｂに示したような設定可能な表示コントローラ５０が、ＭＦＤ７０によって高度および対気速度の情報ならびに航法またはシステムの情報を操縦士の好みに従って表示できるように、プログラム可能なＭＦＤ７０を制御する。例えば、表示コントローラ５０によって、操縦士は、気圧をさまざまな単位で読み取るべくディスプレイ７０を設定することができる。伝統的には、航空機の設定可能な表示コントローラ５０は、所与のＭＦＤ７０またはＰＦＤに組み合わせられたスタンドアロンの計器であり、図１Ａおよび図１Ｂに示されているように操縦席の計器類１０の防眩シールド３０に取り付けられる。
【００２７】
ＭＦＤ７０の制御および設定に加えて、さらにコントローラ５０を、航空機のシステムを制御し、航空機のシステムの状態を図１Ａおよび図１Ｂに示した関連の画面に表示するように構成することができる。例えば、コントローラ５０を、航空機の燃料系統または補助動力ユニットについて、制御および状態情報の表示を行うように構成できる。すなわち、コントローラ５０が、ディスプレイおよび航空機のシステムの制御を通じて、航空機の飛行において重要な役割を果たし、結果として操縦士は、コントローラ５０に大いに注意を払わなければならない。
【００２８】
図２に、風防窓２０、防眩シールド３０、および主計器パネル４０を備える操縦席の計器類１００を含む本発明の一実施の形態が示されている。さらに、操縦席の計器類１００は、２つのスタンバイ計器ディスプレイ／設定可能コントローラ１１１および１１２（以下では、スタンバイ表示／制御装置１１１および１１２と称する）を備えている。さらに、伝統的な操縦席の計器類１０と同様、操縦席の計器類１００は、ＭＦＤ（図２においては、ＭＦＤ１４１、１４２、１４３、および１４４として示されている）を備えている。それぞれのスタンバイ表示／制御装置１１１および１１２は、ディスプレイ１２０および付随のコントローラパネル１３０を備えており、操縦士または副操縦士ならびにＭＦＤのうちの１つ以上へと組み合わせることができる。
【００２９】
スタンバイ表示／制御装置１１１および１１２を、任意のＭＦＤ１４１、１４２、１４３、および１４４に組み合わせられるように構成することが可能であるが、スタンバイ表示／制御装置１１１および１１２は、好ましくは、直下に取り付けられるＭＦＤに組み合わせられ、例えばスタンバイ表示／制御装置１１１を、ＭＦＤ１４１および１４２に組み合わせることができる。また、スタンバイ表示／制御装置を、本発明の技術的範囲および技術的思想から逸脱することなく、より少数またはより多数のＭＦＤに組み合わせることも考えられる。
【００３０】
本発明によれば、スタンバイ表示／制御装置１１１および１１２を、制御モードおよびスタンバイモードを備えるように構成することができる。スタンバイ表示／制御装置１１１および１１２は、コントローラモードにおいては伝統的な設定可能なコントローラ５０と同様に機能し、スタンバイモードにおいてはスタンバイ表示装置６０および８０と同様に機能するよう協働することができる。いくつかの飛行規則の要件を満足するために、２つのスタンバイ表示／制御装置１１１および１１２を、必要とされる法定の飛行データが常にスタンバイ表示／制御装置１１１および１１２の少なくとも一方に表示されるよう、協働するように構成することができる。
【００３１】
設定可能なコントローラおよびスタンバイ表示装置の両方として機能することで、表示／制御装置１１１および１１２は、図１Ａおよび図１Ｂに示したような伝統的な設定可能なコントローラ５０、スタンバイ表示装置６０、およびスタンバイ機首方位表示装置８０の機能を統合できるだけでなく、これらの位置を操縦士および副操縦士のための１つのスタンバイ表示／制御装置システムへと統合でき、操縦士の作業負荷を少なくするとともに、操縦席の計器類１００においてさらなる空間を解放する。伝統的な設定可能なコントローラ５０と同様、スタンバイ表示／制御装置１１１および１１２は、航空機のシステムについての制御および表示ならびにＭＦＤ１４１、１４２、１４３、および１４４の制御をもたらすことができる。同時に、２つの表示／制御装置１１１および１１２の組み合わせが、伝統的なスタンバイ表示装置６０および伝統的なスタンバイ機首方位システム表示装置８０として作用すべく、協働して機能することができる。
【００３２】
図２においては、スタンバイ表示／制御装置１１１および１１２が、ＭＦＤ１４１、１４２、１４３、および１４４の直上において防眩シールド３０に配置されるように示されているが、スタンバイ表示制御装置１１１および１１２を、操縦席の計器類１００の他の場所に配置してもよいことを理解すべきである。同様に、ＭＦＤ１４１、１４２、１４３、および１４４などといった他の計器も、本発明の技術的範囲および技術的思想から逸脱することなく、操縦席の計器類１００において他の場所に配置することが可能である。
【００３３】
図２に示されているように、表示／制御装置１１１および１１２は、操縦席の計器類１０の伝統的なスタンバイ表示装置および設定可能なコントローラを、ただ１つのひとまとめにされたセットの２つの表示制御装置１１１および１１２へと統合している。２つの表示／制御装置の位置は、操縦士に、とりわけ作業負荷の軽減をもたらすことができる。
【００３４】
図３Ａを参照すると、操縦席の計器類１００の半分が示されており、飛行時の一方の操縦士のすぐ前の計器、および当該操縦士が飛行時に使用することができるプライマリ計器が示されている。さらに具体的には、表示／制御装置１１１が示されており、この表示／制御装置１１１の直下に取り付けられた２つのＭＦＤ１４１および１４２に直接的に組み合わせる（あくまで説明の目的であり、他の組み合わせも可能である）ことができる。表示／制御装置１１１および１１２のそれぞれは、ディスプレイ１２０および付随の制御パネル１３０を備えている。スタンバイモードにおいては、ディスプレイ１２０が、伝統的には伝統的なスタンバイ表示装置６０および８０に表示されている規則によって必要とされる飛行データを表示する。コントローラモードにおいては、ディスプレイ１３０は、航空機のシステムのデータおよび航空機のシステムを管理するためのメニューの選択肢を表示する。選択肢の選択は、制御パネル１３０によって行うことができ、あるいは図４に関して後述されるようにディスプレイ１２０によって行うことができる。
【００３５】
表示／制御装置１１１は、図３ＡにおいてはＭＦＤ１４１および１４２に組み合わせられて示されているが、表示／制御装置１１１の制御パネル１３０を、任意の数または種類の操縦室航空電子ディスプレイおよび航空機の他のシステムを制御するようにプログラム可能とすることが考えられる。
【００３６】
図２および図３の両方に示されているように、伝統的なスタンバイ表示装置６０および伝統的なスタンバイ機首方位表示装置８０が、操縦席の計器類１００に存在しないことに注意すべきである。伝統的なスタンバイ表示装置を置き換え、今では表示／制御装置１１１が、風防２０の直下かつＭＦＤ１４１および１４２（操縦士にとっての主な計器であり、プライマリ・フライト・ディスプレイ（ＰＦＤ）と称されることが多い）の直上に配置されている。表示／制御装置１１１の位置は、計器に目を配る際に操縦士の助けとなり、航空機のシステムおよびディスプレイの調節を行うための操縦士の能力を楽にするように、最適に配置することができる。
【００３７】
上述のように、操縦士によって行われる典型的な計器への目配りは、重要な飛行データを集めるために風防２０から下方へとプライマリ計器、すなわちＭＦＤ１４１および１４２へと目を移し、次いで再び風防へと視線を上げることを含んでいる。さまざまな飛行の状況において計器への目配りがさまざまに行われる可能性があるが、上述した垂直方向の計器の目配りの動きが、飛行中の操縦士によって行われる習慣的かつ絶え間のない目の動きとなることがしばしばである。伝統的なスタンバイ表示装置６０および８０と対照的に、図２および図３に示した本発明の実施の形態においては、今では表示／制御装置１１１が、操縦士が習慣的な計器への目配りを行うたびに操縦士の視野または目が表示／制御装置１１１上を通過するように、計器への目配りの途中に直接的に位置している。
【００３８】
非常の場合、またはＭＦＤ１４１および１４２が失われた場合に、表示／制御装置１１１を、スタンバイモードを既定の状態とするように構成することができる。したがって、操縦席の計器類１００の構成が、表示／制御装置１１１を、操縦士の直前かつ操縦士の習慣的な計器への目配りの範囲内に配置する。伝統的なスタンバイ表示装置６０および８０と対照的に、困難な状況下での非常の計器への目配りにおいて、操縦士は、風防２０からスタンバイモードにある表示／制御装置１１１を見つけるために垂直下方に目を配るだけでよい。これは、とくには伝統的な操縦席の計器類１０を使用する操縦士が直面する視差の問題を防止し、本発明の計器パネルを備える航空機を操縦する操縦士の作業負荷を少なくする。
【００３９】
さらに、ＭＦＤ１４１および１４２ならびに表示／制御装置１１１が、図３Ａに示されているように、いずれも４：３のアスペクト比を備えていることに注目すべきである。本発明によれば、他のアスペクト比も使用可能であるけれども、４：３の比の反復は、ディスプレイ１２０を見た目に関してＭＦＤの縮小版として設けることを可能にする。対照的に、図１Ａおよび図１Ｂに示されているように、伝統的なスタンバイ表示装置６０および８０は、典型的には１：１のアスペクト比を備え、ディスプレイ１２０よりも大幅に小さく、たとえ通常の状況下であっても発見および読み取りが難しいものとなっている。類似の比とすることによって、非常の状況において飛行データを集めるためのより識別が容易でありかつより簡潔なスタンバイ計器が操縦士にもたらされることが示されている。スタンバイ計器の配置との組み合わせにおいて、本発明によるスタンバイ表示／制御装置は、非常の状態における操縦士の作業負荷を大幅に減らすことができる。
【００４０】
図２に示されているように、スタンバイ表示／制御装置１１１および１１２は、操縦席の計器類１００において防眩シールド３０と称される領域に配置される。この配置は、操縦士が計器による飛行において表示／制御装置１１１および１１２に依存するスタンバイ計器による飛行から、有視界飛行への移行を支援することによって、操縦士の作業負荷をさらに軽減する。伝統的なスタンバイ表示装置６０および８０の配置と対照的に、スタンバイ表示／制御装置１１１および１１２を風防窓の直下に配置することによって、操縦士は、スタンバイ表示／制御装置１１１および１１２の視認と風防２０の視野との間を容易に移行することができる。例えば、着陸の際に、操縦士は計器飛行による航空機の飛行を航空機が最小使用高度まで下降したときに停止し、この時点で操縦士は、風防へと視線を上げ、滑走路を視覚的に確認する。図２に示した本発明の実施の形態においては、操縦士は、表示／制御装置１１１および１１２からわずかな距離だけ垂直上方に目を向けるだけでよく、図２に示した操縦席の計器類１００を使用しているときの種々の飛行モードにおける移行がはるかに容易になっている。
【００４１】
さらに、プライマリ・フライト・ディスプレイからスタンバイ表示／制御装置１１１および１１２への移行を、表示／制御装置１１１および１１２を可能な限りそれぞれの操縦士の設計眼点（ＤＥＰ）の近くに配置することによって、容易にすることができる。ＤＥＰは、図３Ｂにおいて点３５０として示されているが、そこから標準的な操縦士の目が静止したまますべての計器を監視および操作し、制御すると考えられる点である。現代の大部分の航空機が提供している調節式の座席は、さまざまな体型の操縦士を、このＤＥＰに操縦士の目が位置するように配置する。伝統的なスタンバイ表示装置６０および８０の配置と異なり、表示／制御装置１１１および１１２は、図３Ｂに示されているようにＤＥＰの近くに位置している。ＤＥＰに最も近い位置を最適化するために、表示／制御装置１１１および１１２においてディスプレイ１２０および制御パネル１３０の位置を逆にしてもよいことを理解すべきである。
【００４２】
さらに、操縦席の計器類１００は、操縦士が計器パネル上の表示／制御装置１１１の位置に慣れているため、非常の状況にある操縦士の安全および能率を改善する。やはり伝統的なスタンバイ表示装置６０および８０の伝統的な位置とは対照的に、操縦士は、表示／制御装置１１１のもう１つのモードであるコントローラモードゆえに、表示／制御装置１１１の位置を頻繁に眺めて利用すると考えられる。飛行時に、操縦士が、航空機のシステムおよびディスプレイの調節を行うときに、表示／制御装置１１１の位置およびコントローラモードにある表示／制御装置１１１の使用に慣れると考えられる。したがって、非常時において、操縦士がスタンバイモードの表示／制御装置１１１を使用するとき、飛行データを集めるために計器パネル上の慣れ親しんだ位置を見つめることになり、飛行時の操縦士の作業負荷がさらに少なくなる。
【００４３】
図３Ｂを参照すると、操縦士３００、航空機３１０、ＭＦＤ１４１、表示／制御装置１１１、および風防２０の側面図が示されている。操縦士３００の前方の視野３２０が、破線で示されている。風防２０を真っ直ぐに見つめる操縦士３００の視野３２０が、破線の内側にスタンバイ表示／制御装置１１１を含んでおり、操縦士３００が計器への目配りにおいて表示／制御装置１１１を容易に眺めることができることをさらに示している。
【００４４】
さらに、図３Ｂに示されているように、表示／制御装置１１１の位置、および表示／制御装置１１１が操縦士の視野３２０に含まれていることで、コントローラモードの表示／制御装置１１１を使用するために操縦士に求められる労苦が少なくなる。これは、習慣的な計器への目配りおよびコントローラモードの表示／制御装置１１１の使用の際に操縦士が表示／制御装置１１１に慣れ親しむことをさらに説明している。
【００４５】
再び図２に目を向けると、多数の飛行計器ディスプレイが表示／制御装置１１１および１１２へと配置されて統合されることで、より大きな飛行計器および他の飛行計器のために、操縦席の計器類１００において貴重な空間が開放される。伝統的なスタンバイ表示装置６０および８０が存在しないため、操縦席の計器類１００が、より大きなＭＦＤまたは追加の計器の導入などといった変更を取り入れるための追加の空間を有している。例えば、より大きなＭＦＤは、あらゆる状況下において読み取りおよび視認がより容易である表示を提供することによって、操縦士の作業負荷をさらに軽くすることができる。
【００４６】
再び図３Ａを参照すると、表示／制御装置１１１が、ディスプレイ１２０が規則の要求する飛行データを表示するスタンバイモードに示されている。しかしながら、スタンバイモードのディスプレイ１２０に表示される飛行データを、表示／制御装置１１１がコントローラモードで使用されるときに、航空機のシステムのデータおよびメニューの選択肢で置き換えることが可能である。図４には、ディスプレイ１２０および制御パネル１３０を含んでいる表示／制御装置１１１がコントローラモードで示されており、伝統的な設定可能コントローラ５０と同様に機能する。
【００４７】
図４においては、表示／制御装置１１１が、補助動力ユニットシステムのメニューおよびデータの表示が作動中であるコントローラモードについてのみ示されている。図４には補助動力ユニットが示されているが、航空機の他のシステムも、表示／制御装置１１１によって含まれて制御されることができ、システムのメニューおよびデータの表示のさらなる例が、図５〜図８に示されている。
【００４８】
図４のディスプレイ１２０は、表示画面４００およびフレーム４０５内に保持された操作ボタン４１０および４２０を備えている。表示画面４００に補助動力ユニットを表示させる選択を、表示システム／航空機システム管理用メニューキー（Ｄｉｓｐｌａｙ  Ｓｙｓｔｅｍ  ａｎｄ  Ａｉｒｃｒａｆｔ  Ｓｙｓｔｅｍ  Ｍａｎａｇｅｍｅｎｔ  Ｍｅｎｕ  Ｋｅｙｓ）４５０および４６０のうちのＡＰＵと印されたボタンを操作することによって選択できる。ＡＰＵキーが選択されると、補助動力ユニットに関する重要なデータが図示のとおり分かり易く表示され、補助動力ユニットに対する選択および変更を、ディスプレイ１２０または制御パネル１３０の他のボタンおよびキーを使用して行うことができる。例えば、補助動力ユニットの発電機（ＧＥＮ）を、図４に示されているようなボタン４２１を操作することによって、オン（ＯＮ）およびオフ（ＯＦＦ）に切り替えることができる。
【００４９】
当業者にとって明らかであるとおり、他のシステムおよび表示の選択肢を、制御パネル１３０上の他のキーを操作することによって選択することができる。制御パネル１３０に示されているように、ノブ４３０および４３１を、メニューおよび表示の選択を行うための回転および押し込みの設定機能として使用することができる。さらに、キー４４０を、４つの基本的なスタンバイ表示およびより高次の表示の選択キーからなる組として構成できる。これらのキー４４０を、図５に示すようにスタンバイモードのディスプレイ１２０を設定および制御するために使用することができる。
【００５０】
制御パネル１３０およびディスプレイ１２０に示されているキーおよびボタンは、特定の機能が適用およびプログラムされた状態で示されているが、キーおよびボタンが操縦士または他の者の好みに応じて異なる機能を実行できるよう、整備員または技師によって、あるいは操縦士によってリアルタイムで、ボタンを変更または再設定できることは当業者にとって自明である。さらに、キーの配置およびキーおよびボタンの数も、本発明の技術的範囲および技術的思想から逸脱することなく変更が可能である。
【００５１】
制御パネル１３０が、航空機のシステムのデータを表示し、必要であれば航空機のシステムに対して変更を行うために、ディスプレイ１２０と協働できると考えられるが、当業者であれば、パネル１３０がどのようにディスプレイ１２０と別個独立に動作できるのかを理解できるであろう。したがって、航空機のシステムについてのいくつかの変更を、ディスプレイ１２０のスタンバイモードを妨げることなく実行可能にすることが考えられる。
【００５２】
図５において、表示／制御装置１１１が、標準的な飛行データをディスプレイ１２０上に表示するスタンバイモードで示されている。当業者であれば理解できるとおり、飛行データは、通常は、対気速度、高度、姿勢、および機首方位に関する飛行データに関係する。図５に示されているように、画面４００を、対気速度に関するデータ５００を画面の左側に表示するように構成できる。高度データ５１０を、画面の右側に表示することができ、姿勢のデータ５２０を、通常は高度のデータ５１０と対気速度のデータ５００との間に表示することができる。本発明の一実施の形態によれば、画面４００の下部に沿って、機首方位のデータおよび情報５３０を表示することができる。スタンバイモードを、この飛行データを示されるデータがより多く、あるいはより少ない別の構成にて表示するように構成できることを、理解すべきである。図５に示したデータを、ＦＡＲ  ２５．１３３３を満足すべく、これらの規則によって要求されるスタンバイ飛行データを表示するように構成することができるが、他の飛行データの構成も、操縦士の好みに合わせ、あるいは別の規則に従うために設定することが可能である。
【００５３】
再び図２を参照すると、操縦席の計器類１００を、図４および図５に関して述べたようにスタンバイモードおよびコントローラモードのいずれかで使用することができる２つの表示／制御装置１１１および１１２を備えるように構成することができる。さらに、上述のように、コントローラモードにあるときに、スタンバイモードにおいて表示される飛行データが、ディスプレイ１２０上に表示されなくてもよい。すなわち、両方の表示／制御装置１１１および１１２が操縦士によって同時にコントローラモードで使用される場合、表示／制御装置１１１および１１２のどちらも、規則の要求する飛行データを表示しない。
【００５４】
本発明の少なくとも１つの実施の形態においては、表示／制御装置１１１および１１２を同時にコントローラモードで使用することができるが、この構成は、いくつかの種類の航空機、とくにはＦＡＲ  ２５．１３３３の規定に包含される大型の航空機において、飛行規則に違反することになる可能性がある。しかしながら、図２に示した本発明の実施の形態においては、スタンバイ表示／制御装置１１１および１１２を、冗長のバックアップの飛行表示に関する規則の要求を満足すべく協働するように、構成およびプログラムすることができる。例えば、ＦＡＲ  １４  ＣＦＲ  Ｃｈ．１（‘０４年１月１日版）‐２５．１３２１は、スタンバイ計器が常に操縦士および副操縦士の両者にとって視認可能であることを要求している。また、スタンバイ計器が、（ａ）操縦士にとって、飛行経路に沿った前方を見つめているときの通常の位置および視線から極力外れることなく、操縦士の位置から一目瞭然に視認可能であること、ならびに（ｂ）（１）姿勢を中央上部の位置に表示し、（２）対気速度の計器を姿勢のすぐ左に隣接させて表示し、（３）高度の計器を姿勢のすぐ右に隣接させて表示し、（４）飛行方向の計器を姿勢のすぐ下に隣接させて表示するように、要求している。
【００５５】
図２に示した本発明の実施の形態によれば、スタンバイ表示／制御装置１１１および１１２を、１つの時点において一方のスタンバイ表示／制御装置のみがコントローラモードで動作するようにモード間の切り替えまたは調停を行うようにプログラムすることによって、ＦＡＲ  ２５．１３２１に合わせて最適化できる。換言すると、操縦士のスタンバイ表示／制御装置がコントローラモードにあるとき、副操縦士のスタンバイ表示／制御装置がスタンバイモードにあり、その逆も然りである。このような協働をスタンバイ計器にプログラムすることによって、スタンバイ計器が、飛行規則を満足する１つのバックアップ表示装置および航空機のシステムの設定可能なコントローラとして機能することができ、計器パネルを混雑させる独立の計器の数を少なくすることができる。
【００５６】
さらなる安全の手段として、スタンバイ表示／制御装置１１１および１１２の両方が、２つのスタンバイ計器間のモードの調停のための手段が失われた場合に、スタンバイモードを既定の状態とし、スタンバイモードにとどまることができる。その場合、スタンバイ表示／制御装置１１１および１１２のコントローラモードの機能を、スタンバイ表示／制御装置１１１および１１２の傍らの他の装置によって担当することができる。
【００５７】
ＦＡＲ  ２５．１３３３を満足するためには、１つのスタンバイ表示／制御装置だけがスタンバイモードであればよいが、両方のスタンバイ表示／制御装置について、非常の場合にスタンバイモードを既定の状態とすることが考えられる。例えば、図２に示した実施の形態において、スタンバイ表示／制御装置１１１および１１２が、動力が電池バス（ｂａｔｔｅｒｙ  ｂｕｓ）へと戻る場合にスタンバイモードへと戻ることができる。さらに、上述のように、スタンバイ表示／制御装置１１１および１１２の位置を、図３Ｂに示したように２人の操縦士のそれぞれの実質的に前方かつ各操縦士の視野内とすることができ、これは非常の状況においてきわめて重要であると考えられる。したがって、２つのスタンバイ表示／制御装置１１１および１１２を図２に示したように配置して設け、それぞれをスタンバイモードが非常の場合の既定の状態であるように構成することで、図２に示した操縦席の計器類１００の配置構成は、非常の際に操縦士および副操縦士について視差の状況を防止し、操縦士の作業負荷を大幅に軽減し、航空機のバックアップ・ディスプレイ・システムの安全性を向上させる。
【００５８】
さらなる安全のための機能および重複した手段として、非常時には既定のスタンバイモードになることに加えて、さらに表示／制御装置１１１および１１２が、スタンバイモードを通常の動作状態における既定のモードとすることができる。既定として、表示／制御装置を、表示／制御装置の制御パネル１３０およびディスプレイ１２０が所定の時間期間（例えば、約５秒、またはそれ以上）にわたって非動作であるときはいつでも、スタンバイモードへと戻るように構成することができる。さらに、スタンバイモードを、図４および図５に示したようなスタンバイメニュー選択キーを選択することによって、制御パネル１３０から直接作動させることができる。このようにして、非常の場合に、スタンバイ表示／制御装置１１１および１１２がすでにスタンバイモードであることが考えられ、操縦士が非常時にスタンバイモードを作動させるために貴重な時間を取られることがなく、やはり時間の確保および操縦士の作業負荷の軽減が達成される。
【００５９】
図２に示したようなＭＦＤ１４１、１４２、１４３、および１４３に規則による飛行情報が表示されているかどうかにかかわらず、上述のように、スタンバイ表示装置の表示が、規則の要求に従って依然として必要であることに注意すべきである。
【００６０】
一方のスタンバイ表示／制御装置が使用できなくなった場合、両方の表示／制御装置１１１および１１２のディスプレイ１２０を、スタンバイ表示のクラッター（ｃｌｕｔｔｅｒ）およびクロス・サイド・ビューイング（ｃｒｏｓｓ  ｓｉｄｅ  ｖｉｅｗｉｎｇ）の両方を最適化するための充分な解像度を備えるように寸法付けおよび構成することができる。伝統的なスタンバイ表示装置６０および８０と対照的に、スタンバイ表示／制御装置１１１および１１２は、より大型であることができ、４：３のアスペクト比を備えることができる。より大きなディスプレイ１２０は、クロス・サイド・ビューイングを向上させることによって操縦士の作業負荷を軽減できる。また、このより大きなディスプレイ１２０は、一方のスタンバイ表示／制御装置が使用できなくなった場合に、残りのディスプレイが、航空機を反対側の操縦士の座席から操縦することができるように適切な解像度を備えた適切な寸法であることを要求しているＦＡＲ  ２５．１３２１（ａ）規則の準拠を保証することができる。これは、反対側の表示／制御装置が操縦士の通常の姿勢から極力外れることなくはっきりと視認可能であることを示している飛行テストの実証によって示すことができる。
【００６１】
スタンバイ表示／制御装置１１１および１１２は、複数のコントローラおよびディスプレイを１つのディスプレイおよびコントローラシステムへと統合しているが、操縦席の計器類１００の冗長性の別の形態として、スタンバイ表示／制御装置１１１および１１２の制御パネル１３０の制御および表示の機能を、操縦室の何らかの他の手段によって支えることも可能である。したがって、１つのスタンバイ表示／制御装置の喪失の場合に、他方のスタンバイ表示／制御装置を規定のスタンバイ計器として割り当て、スタンバイモードを保つように強制することができる。例えば、表示／制御装置１１１の喪失の場合に、表示／制御装置１１２をＦＡＲ  ２５．１３３３に規定のスタンバイ計器として割り当て、コントローラモードの設定可能な制御の特徴および機能を代替の計器によって取り扱うことができる。
【００６２】
当業者であれば理解できるとおり、表示／制御装置１１１および１１２のコントローラモードの機能についての代替の計器および冗長性は、ＦＡＲ  ２５／Ｐａｒｔ  ９１／１３５／１２１によって規制される大型の航空機について示されているような最適な最低装備リスト（ＭＥＬ）の準拠の急派を可能にできる。ＭＥＬを満たす航空機は、航空機の作業者を迅速な修理から解放でき、典型的には、構成部品が故障したままでも或る最大期間について運転を許す。冗長性の利点に加え、ＭＥＬの承認は、典型的には、遠方の場所で故障が生じた場合や速やかな航空輸送が必要であるときに運転者が運転を続けることができるため、大型の航空機の製造者にとって商売上の利点であると考えられる。
【００６３】
図２に示した実施の形態においては、操縦席の計器類１００が、ＦＡＲ  ２５．１３３３に包含される大型旅客機の２名用の操縦室に適応しているが、多数の表示／制御装置を使用する別の大きさの航空機のいくつかの計器パネルを、同時にコントローラモードで使用できるように構成することができる。しかしながら、そのような計器パネルの構成が、その航空機に適用される航空規則によっては、規則の要求する飛行バックアップ計器としての機能を果たすことができないことを理解すべきである。したがって、本発明による表示制御装置を、操縦士が１人の航空機または他のより小型の航空機に取り入れて使用することが考えられる。さらに、大型の航空機において、本発明の技術的範囲および技術的思想から離れることなく、３つ以上のスタンバイ表示／制御装置を計器パネルに備えることができる。
【００６４】
複数の伝統的なスタンバイ表示装置および設定可能なコントローラの本発明による統合は、上述のように操縦士と副操縦士との間の貴重な計器パネルの空間を解放するだけでなく、操縦室の計器の数も少なくする。独立した計器の数を少なくすることによって、操縦室の管理を、乗員の主たる計器の目配りの付近に集中的に集めることが可能になる。これは、飛行の最中の操縦士の作業負荷を少なくするだけでなく、技術が進歩するにつれてますます複雑になる計器パネルの製造および設置のコストも低減する。さらに、スタンバイ表示／制御装置は、現代の航空機の配線の複雑さおよび計器パネルの重量を軽減でき、航空機の全体としての性能に有益であり、製造のサイクル時間を短縮する。
【００６５】
プライマリおよび冗長の両方の表示のための航空電子計器が、ナビゲーショナル・データ・ソースを含む、ただ１つの電子センサパッケージを備えることができるが、スタンバイ表示／制御装置１１１および１１２が、プライマリＭＦＤ１４１、１４２、１４３、および１４４に航空機の飛行データをもたらす電子センサパッケージとは独立に、別個の電子センサパッケージを備えてもよい。これは、プライマリディスプレイおよびセカンダリ／冗長ディスプレイに表示される情報を比較することによって、プライマリおよびセカンダリの電子センサパッケージの精度および機能を検証する方法を、操縦士にもたらすことができる。当業者であれば理解できるとおり、このような比較によって、さらなる安全性および冗長性の水準をもたらすことができる。しかしながら、スタンバイ表示／制御装置のそれぞれが別個の電子センサパッケージを備えてもよいことも理解すべきである。
【００６６】
図６および図７は、航空機の種々のシステムについて種々のメニューおよび航空機のデータを表示するコントローラモードにあるスタンバイ表示／制御装置のさらなる例を示している。当業者にとって自明であるとおり、図６および図７に示されている表示およびメニューの選択肢は、本発明にとって必須の航空機のシステムの表示ではない。また、図６および図７を、航空機のシステムを説明し尽くすリストと考えてはならない。さらに、本発明のもとで想定されるメニュー、制御機能、および表示が、図６および図７に示した例に限られると理解してはならない。
【００６７】
図６においては、コントローラモードにある表示／制御装置のディスプレイ１２０が示されており、航空機の燃料系統の表示およびメニュー制御の選択肢が表示されている。図示のとおり、メニューの選択肢を、画面４００上に表示されたメニューの選択肢に隣接する制御ボタン４１０および４２０を操作することによって、選択することが可能である。例えば、画面４００および他の表示装置に表示される燃料の単位を、操縦士の好みに応じ、ボタン６００を選択することによって「ポンド（ｌｂｓ）」と「ｋｇｓ」との間で切り替えることが可能である。図においては、制御ボタンが単純なラジオボタンとして示されているが、制御ボタン４１０および４２０は、当業者にとって公知の任意の形式の操作ボタンとして構成することが可能である。さらに、画面４００が、当業者であれば理解できるとおり、選択肢の選択を画面に対して直接行うことができるよう、タッチスクリーンを備えてもよいことを理解すべきである。
【００６８】
図７には、コントローラモードにある表示／制御装置のディスプレイ１２０が示されており、天候の検出および表示の制御システムの例が表示されている。図示のとおり、メニューの選択肢を、画面４００上に表示されたメニューの選択肢に隣接する制御ボタン４１０および４２０を操作することによって、選択することが可能である。例えば、天候レーダの動作を、操縦士の好みに応じ、ボタン６００を選択することによって「オン」および「オフ」に切り替えることが可能である。
【００６９】
図８には、コントローラモードにある表示／制御装置のディスプレイ１２０が示されており、航空機の飛行データをどのようにプライマリ・フライト・ディスプレイ（ＰＦＤ）上に表示するのかについて、制御のメニューの例が表示されている。すでに述べたように、ＰＦＤは、典型的には、図２に示したＭＦＤ１４１、１４２、１４３、および１４４のうちの１つなど、ＭＦＤのうちの１つへと割り当てられている。図８のメニューの選択肢は、航空機の特定のシステムを制御するようには構成されていないかもしれないが、図８に示したメニューの選択肢によって、操縦士は、自らが航空機の操縦に使用するプライマリ計器上にデータをどのような様相で表示するのかを、自分に合わせてあつらえることができる。例えば、図８に示したボタン８００を選択することによって、操縦室の計器類の種々の表示装置に表示される大気圧の単位の種類を設定することができる。
【００７０】
本発明のもとで想定されるメニュー、航空機のシステム、制御システム、制御機能、および表示を、図２〜図８に示した例に限定されると解釈してはならないことを理解すべきである。例えば、本発明は、これらに限られるわけではないが、航空機のセンサ、スタンバイ飛行ディスプレイ、エンハンスド・ビジョン・システム（ＥＶＳ：Ｅｎｈａｎｃｅｄ  Ｖｉｓｉｏｎ  Ｓｙｓｔｅｍ）／シンセティック・ビジョン・システム（ＳＶＳ：Ｓｙｎｔｈｅｔｉｃ  Ｖｉｓｉｏｎ  Ｓｙｓｔｅｍ）、補助動力ユニット、ＣＰＤＬＣ（管制官操縦士間データリンク通信（Ｃｏｎｔｒｏｌｌｅｒ  Ｐｉｌｏｔ  Ｄａｔａ  Ｌｉｎｋ  Ｃｏｍｍｕｎｉｃａｔｉｏｎ））、天候検出システム、ＣＰＣＳ（客室与圧制御システム（Ｃａｂｉｎ  Ｐｒｅｓｓｕｒｉｚａｔｉｏｎ  Ｃｏｎｔｒｏｌ  Ｓｙｓｔｅｍ））、燃料系統、チェックリストシステム（ｃｈｅｃｋｌｉｓｔ  ｓｙｓｔｅｍ）、プライマリ・フライト・ディスプレイ・システム、地図システム、アプローチ・アンド・エンルート・ナビゲーショナル・チャート・システム（Ａｐｐｒｏａｃｈ  ａｎｄ  Ｅｎｒｏｕｔｅ  Ｎａｖｉｇａｔｉｏｎａｌ  Ｃｈａｒｔ  ｓｙｓｔｅｍｓ）、ウインドウズ・マネジメント・システム（Ｗｉｎｄｏｗｓ  Ｍａｎａｇｅｍｅｎｔ  ｓｙｓｔｅｍｓ）、表示形式メモリシステム、および表示要約システムに関するメニューの選択肢および制御など、航空機の種々のシステムおよび装置についてのメニューの選択肢および制御を含むことができる。
【００７１】
本発明の特定の実施の形態についての以上の説明は、例示および説明を目的として提示されている。それらは、すべてを挙げようとしたものではなく、本発明を開示した形態そのものに限定しようとするものでもない。当然ながら、以上の教示に照らして多数の変更および変種が可能である。上述の実施の形態は、本発明の原理および実際の適用を最もよく説明して、当業者が最も上手く本発明を利用できるようにするために選択されて説明されているが、特定の用途に適するようなさまざまな変更をともなったさまざまな実施の形態も可能である。本発明の技術的範囲は、添付の特許請求の範囲およびそれらの均等物によってのみ定められる。
【図面の簡単な説明】
【００７２】
【図１Ａ】伝統的なスタンバイ計器を取り入れてなる従来技術の操縦席の正面図である。
【図１Ｂ】伝統的なスタンバイ計器を取り入れてなる別の従来技術の操縦席の正面図である。
【図２】本発明の一実施の形態による操縦席の正面図である。
【図３Ａ】本発明の一実施の形態による１つのスタンバイ表示／制御装置および操縦席の半分の正面図である。
【図３Ｂ】本発明の一実施の形態による操縦士の視野の側面図である。
【図４】コントローラモードにある本発明の一実施の形態によるスタンバイ表示／制御装置の図である。
【図５】スタンバイモードにある本発明の一実施の形態によるスタンバイ表示／制御装置の図である。
【図６】本発明の一実施の形態によるスタンバイ表示／制御装置のディスプレイの図であり、メニューの選択肢が表示されている。
【図７】本発明の一実施の形態によるスタンバイ表示／制御装置のディスプレイの図であり、別のメニューの選択肢が表示されている。
【図８】本発明の一実施の形態によるスタンバイ表示／制御装置のディスプレイの図であり、他のメニューの選択肢が表示されている。
【図１Ａ】
2009500235.tif 000003
【図１Ｂ】
2009500235.tif 000004
【図２】
2009500235.tif 000005
【図３Ａ】
2009500235.tif 000006
【図３Ｂ】
2009500235.tif 000007
【図４】
2009500235.tif 000008
【図５】
2009500235.tif 000009
【図６】
2009500235.tif 000010
【図７】
2009500235.tif 000011
【図８】
2009500235.tif 000012
【国際調査報告】
2009500235.tif 000013